(57)【要約】【課題】シートの回収時に未定着のトナーが作業者の手に付着するのを防止する。【解決手段】シートのサイズを指示する指示情報を受け付ける受付部と、シート供給部からシート排出部に向けてシートを搬送する搬送部と、前記搬送部における第１の位置において、シートに画像を転写する転写部と、前記搬送部における前記第１の位置よりも下流の第２の位置において、前記転写部でシートに転写された画像を定着させる定着部と、前記搬送部における前記第２の位置よりも上流の第３の位置において、前記定着部に搬送されるシートのサイズに関する情報を取得する取得部と、前記受付部が受け付けたシートのサイズと、前記取得部が取得したシートのサイズとが異なる場合に、前記第２の位置よりも搬送方向下流にシートの搬送方向後端部が位置する第４の位置までシートを搬送する制御部と、を有する画像形成装置。【選択図】図２
2011209720.tif 000002
【特許請求の範囲】
【請求項１】
画像が形成されるシートのサイズを指示する指示情報を受け付ける受付部と、
シートを供給するシート供給部からシートが排出されるシート排出部に向けてシートを搬送する搬送部と、
前記搬送部における第１の位置において、シートに画像を転写する転写部と、
前記搬送部における前記第１の位置よりも搬送方向下流の第２の位置において、前記転写部でシートに転写された画像を定着させる定着部と、
前記搬送部における前記第２の位置よりも搬送方向上流の第３の位置において、前記定着部に向かって搬送されるシートのサイズに関する情報を取得する取得部と、
前記受付部が受け付けたシートのサイズと、前記取得部が取得したシートのサイズとが異なる場合に、前記搬送部を制御することにより、前記第２の位置よりも搬送方向下流にシートの搬送方向後端部が位置する第４の位置までシートを搬送する制御部と、を有する画像形成装置。
【請求項２】
請求項１に従う装置において、
前記第４の位置は、前記シート排出部と前記第２の位置との間に位置する。
【請求項３】
請求項２に従う装置において、
さらに、報知部を備え、
前記制御部は、前記第４の位置までシートが搬送された際に、前記報知部を制御することより、前記搬送部内にシートが位置することを示すジャム処理情報を報知する。
【請求項４】
請求項１に従う装置において、
前記第４の位置は、前記シート排出部上に位置する。
【請求項５】
請求項１に従う装置において、
前記第４の位置を、前記シート排出部及び前記第２の位置の間の搬送路内位置と、前記シート排出部上の搬送路外位置との間で切り替える切替部を備える。
【請求項６】
請求項５に従う装置において、
さらに、報知部を備え、
前記切替部が前記搬送路内位置に設定されている場合、前記制御部は、前記第４の位置までシートが搬送された際に、前記報知部を制御することより、前記搬送部内にシートが位置することを示すジャム処理情報を報知する。
【請求項７】
請求項１に従う装置において、
前記取得部は、シートの傾きを補正するレジストローラをシートが通過する際に、シートのサイズを検知するレジストセンサである。
【請求項８】
請求項１に従う装置において、
前記制御部は、前記受付部が受け付けたシートのサイズと、前記取得部が取得したシートのサイズとが異なる場合に、前記搬送部を制御することにより、後続するシートが前記転写部に搬送されるのを禁止する。
【請求項９】
請求項８に従う装置において、
さらに、前記転写部よりも搬送方向上流に位置してシートの傾きを補正するレジストローラを備え、
前記制御部は、前記レジストローラの回転動作を禁止することにより、後続するシートの搬送を禁止する。
【請求項１０】
請求項８に従う装置において、
さらに、前記シート供給部からシートをピックアップするピックアップローラを備え、
前記制御部は、前記ピックアップローラのピックアップ動作を禁止することにより、後続するシートの搬送を禁止する。
【請求項１１】
請求項１に従う装置において、
前記指示情報が両面印刷を指示する情報を含む場合、
前記制御部は、前記搬送部を制御することにより、両面印刷を行う経路にシートが向かうのを禁止する。
【請求項１２】
請求項１１に従う装置において、
前記制御部は、少なくともシートの搬送方向先端部が前記シート排出部上に位置する位置までシートを搬送する。
【請求項１３】
画像が形成されるシートのサイズを指示する指示情報を受け、
シートを供給するシート供給部からシートが排出されるシート排出部に向けてシートを搬送し、
シートの搬送路における第１の位置において、シートに画像を転写し、
前記搬送路における前記第１の位置よりも搬送方向下流の第２の位置において、シートに転写された画像を定着させ、
前記搬送路における前記第２の位置よりも搬送方向上流の第３の位置において、前記第２の位置に向かって搬送されるシートのサイズに関する情報を取得し、
前記指示情報におけるシートのサイズと、前記取得されたシートのサイズとが異なる場合に、前記第２の位置よりも搬送方向下流にシートの搬送方向後端部が位置する第４の位置までシートを搬送させる、画像形成装置のシート搬送方法。
【請求項１４】
請求項１３に従う方法において、
前記第４の位置は、前記シート排出部と前記第２の位置との間に位置する。
【請求項１５】
請求項１４に従う方法において、
前記第４の位置までシートが搬送された際に、前記搬送部内にシートが位置することを示すジャム処理情報を報知する。
【請求項１６】
請求項１３に従う方法において、
前記第４の位置は、前記シート排出部上に位置する。
【請求項１７】
請求項１３に従う方法において、
シートの傾きを補正するレジストローラをシートが通過する際に、シートのサイズを検知するレジストセンサからシートのサイズを取得する。
【発明の詳細な説明】
【技術分野】
【０００１】
シートを搬送する機能を備える画像形成装置に関する。
【背景技術】
【０００２】
従来、設定されているシートのサイズと、センサで測定したシートのサイズとが異なる場合、サイズが異なると判断できた時点で直ちに画像形成装置をジャム処理状態にしていた。
【発明の概要】
【発明が解決しようとする課題】
【０００３】
しかしながら、シートに転写されたトナー像が定着される前にシートを停止させると、シートの回収時に未定着のトナーが作業者の手に付着するおそれがある。
【課題を解決するための手段】
【０００４】
一般的に、一つの実施形態は、画像が形成されるシートのサイズを指示する指示情報を受け付ける受付部と、シートを供給するシート供給部からシートが排出されるシート排出部に向けてシートを搬送する搬送部と、前記搬送部における第１の位置において、シートに画像を転写する転写部と、前記搬送部における前記第１の位置よりも搬送方向下流の第２の位置において、前記転写部でシートに転写された画像を定着させる定着部と、前記搬送部における前記第２の位置よりも搬送方向上流の第３の位置において、前記定着部に向かって搬送されるシートのサイズに関する情報を取得する取得部と、前記受付部が受け付けたシートのサイズと、前記取得部が取得したシートのサイズとが異なる場合に、前記搬送部を制御することにより、前記第２の位置よりも搬送方向下流にシートの搬送方向後端部が位置する第４の位置までシートを搬送する制御部と、を有する画像形成装置に従う。
【図面の簡単な説明】
【０００５】
【図１】画像形成装置の断面図である。
【図２】画像形成装置の機能ブロック図である。
【図３】シート搬送方法の手順を示すフローチャートである。
【図４】後続シートの搬送方法の手順を示すフローチャートである。
【発明を実施するための形態】
【０００６】
図1は、本実施形態に係る画像形成装置の断面図である。図１を参照して、画像形成装置１は、画像読取部Ｒと、画像形成部Ｐと、を備える。画像読取部Ｒは、シート原稿およびブック原稿の画像をスキャンして読み取る。
【０００７】
画像形成部Ｐは、画像読取部Ｒが原稿から読み取った画像、或いは外部機器が画像形成装置１に送信した印刷データに基づいて、シートに現像剤像を形成する。
【０００８】
画像読取部Ｒは、原稿を所定の画像読取位置まで自動搬送する自動原稿搬送装置（ＡＤＦ：Auto Document Feeder）9を備え、この自動原稿搬送装置９によって自動搬送される原稿トレイＲｔに載置された原稿や、原稿台に載置される原稿の画像を、走査光学系１０によって読み取る。
【０００９】
また、画像形成部Ｐは、トナーカートリッジ１Ｙ〜１Ｋ、感光体２Ｙ〜２Ｋ、現像ローラ３Ｙ〜３Ｋ、ミキサ４Ｙ〜４Ｋ、中間転写ベルト６、定着装置７、カセットトレイ３１、手差しトレイ３２及び排出トレイ８を備える。
【００１０】
カセットトレイ３１は複数有り、これらのカセットトレイ３１にはそれぞれ異なるサイズのシートが積載される。カセットトレイ３１に載置されたシートは、ピックアップローラ２０により一枚ずつピックアップされる。ピックアップローラ２０によりピックアップされたシートは、第１搬送ローラ２１及び第２搬送ローラ２２が回転動作することによりレジストローラ２３に搬送される。
【００１１】
レジストローラ２３は、中間転写ベルト６によりトナーが中間転写される二次転写位置Ｔに向かうシートの傾きを補正する。具体的には、レジストローラ２３にシートが当接することにより、シートの傾きが補正される。
【００１２】
レジストセンサ４１は、レジストローラ２３に当接するシートのサイズを検知する。検知方式は、光学式であってもよい。レジストセンサ４１は、シートを検知するとオンになり、シートを検知しなくなくとオフになる。したがって、レジストセンサ４１がオンした時間を計時することにより、シートの搬送方向のサイズが特定される。
【００１３】
定着装置７は、加圧ローラ７１と、加熱ローラ７２と、加熱部７３と、加熱ベルト７４と、張架ローラ７５とを備える。加圧ローラ７１は、加熱ベルト７４に接触ながら回転する。加熱ローラ７２、加熱ベルト７４及び張架ローラ７５は、加圧ローラ７１に従動して回転する。加熱部７３は、コイルを備え、このコイルに印加した高周波電流により磁束が発生する。加熱部７３が生成した磁束は、加熱ベルト７４に渦電流を誘導して、加熱ベルト７４が発熱する。定着センサ４３は、加圧ローラ７１及び加熱ローラ７２のニップ部を通過したシートを検知する。検出方式は、光学式であってもよい。
【００１４】
排出ローラ２６は、定着装置７においてトナー像が定着されたシートを排出トレイ８に排出する。排出ローラ２６から排出されるシートは、排出センサ４２により検出される。
【００１５】
また、本実施の形態による画像形成装置１は、プロセッサ８０１、ＡＳＩＣ回路８０２、記憶部８０３、操作表示部８０５、タイマ８０６及び通信部８０７を備える。タイマ８０６は、プロセッサ８０１の内部に実装してもよい。
【００１６】
プロセッサ８０１は、画像形成装置１における各種処理を行う役割を有しており、また記憶部８０３に格納されているプログラムを実行することにより種々の機能を実現する役割も有する。プロセッサ８０１は、ＣＰＵ、ＭＰＵであってもよい。また、プロセッサ８０１は、ＡＳＩC回路８０２を含んでも良い。この場合、プロセッサ８０１により実現される処理の少なくとも一部をＡＳＩC回路８０２が回路的に実行する。記憶部８０３は、例えば、ＲＡＭ（Random Access Memory）、ＲＯＭ（Read Only Memory）、ＤＲＡＭ（Dynamic Random Access Memory）、ＳＲＡＭ（Static Random Access Memory）であってもよい。また、記憶部８０３は、後述するフローチャートを実行する際に必要とされる各種情報を記憶する。
【００１７】
操作表示部８０５には、各種設定が表示される。操作表示部８０５は、ＬＣＤ（Liquid crystal display）、ＥＬ（Electronic Luminescence）、ＰＤＰ（Plasma Display Panel）、ＣＲＴ（Cathode Ray Tube）であってもよい。各種設定は、操作表示部８０５を操作することにより変更される。操作表示部８０５は、タッチパネル式であってもよい。
【００１８】
通信部８０７は、プリンタドライバが実装されたＰＣから送信される信号を受信する。
以下、本実施の形態による画像処理装置における処理の一例として、コピー処理の概要について説明する。
【００１９】
まず、ピックアップローラ２０によりカセットトレイ３１からピックアップされたシートは、第１搬送ローラ２１及び第２搬送ローラ２２が回転動作することにより、レジストローラ２３に搬送される。
【００２０】
そして、自動原稿搬送装置９によって連続的に自動搬送される複数枚のシート原稿の画像が、所定の画像読取位置にて走査光学系１０によって読み取られる。
【００２１】
次に、画像読取部Ｒにて原稿から読み取られた画像の印刷データに基づいて、イエロー（Ｙ）、マゼンタ（Ｍ）、シアン（Ｃ）およびブラック（Ｋ）の現像剤像をシートに転写するための感光体２Ｙ、２Ｍ、２Ｃおよび２Ｋの感光面上に静電潜像が形成される。
【００２２】
続いて、現像器におけるミキサ４Ｙ〜４Ｋにより攪拌された現像剤が、現像ローラ３Ｙ〜３Ｋによって、上記のようにして静電潜像が形成された感光体２Ｙ〜２Ｋに供給される。これにより、感光体の感光面上に形成された静電潜像が顕像化される。
【００２３】
このようにして感光体上に形成された現像剤像は、中間転写ベルト６のベルト面上に転写され（いわゆる、一次転写）、中間転写ベルトの回転によって搬送される現像剤像は、二次転写位置Ｔにて、レジストローラ２３から搬送されるシート上に転写される。
シート上に転写された現像剤像は、定着装置７にてシートに加熱定着される。現像剤象が加熱定着されたシートは、複数の搬送ローラ対によって搬送路内を搬送され、排出トレイ８上に順次排出される。
【００２４】
次に、本実施形態に係る画像形成装置の機能ブロックの一例を図２に示す。本実施形態に係る画像形成装置１は、受付部５１と、搬送部５２と、転写部５３と、定着部５４と、取得部５５と、制御部５６と、切替部５７と、報知部５８とを含む。
【００２５】
受付部５１は、画像形成部Ｐにおいて画像形成されるシートのサイズを指示する指示情報を受け付ける。ここで、受付部５１は、操作表示部８０５であってもよい。ユーザが操作表示部８０５を操作することにより、画像形成されるシートのサイズが決定される。受付部５１は、通信部８０７であってもよい。通信部８０７は、図示しないＰＣ上で起動されたプリンタドライバで入力されたシートのサイズに関する指示情報を受け付ける。
【００２６】
搬送部５２は、カセットトレイ３１、或いは手差しトレイ３２から供給されるシートを排出トレイ８に向けて搬送する。搬送部５２は、複数の搬送ローラであってもよい。これらの搬送ローラは、第１搬送ローラ２１と、第２搬送ローラ２２と、レジストローラ２３と、ベルト駆動ローラ２５と、転写従動ローラ２７と、加圧ローラ７１と、加熱ローラ７２と、排出ローラ２６とを含んでもよい。
【００２７】
転写部５３は、第１の位置としての二次転写位置Ｔにおいて、シートに画像を転写する。転写部５３は、中間転写ベルト６及びベルト駆動ローラ２５を含んでもよい。
【００２８】
定着部５４は、二次転写位置Ｔよりも搬送方向下流の定着位置（第２の位置）Ｓにおいて、転写部５３でシートに転写されたトナー像を定着させる。定着部５４は、定着装置７であってもよい。
【００２９】
取得部５５は、搬送部５２における定着位置Ｓよりも搬送方向上流のレジスト位置（第３の位置）Ｕにおいて、定着位置Ｓに向かって搬送されるシートのサイズに関する情報を取得する。取得部５５は、レジストセンサ４１であってもよい。取得部５５は、レジストセンサ４１の搬送方向上流に位置する別のセンサであってもよい。当該別のセンサは、シートのサイズに関する情報を取得できる光学式のセンサであってもよい。
【００３０】
制御部５６は、受付部５１が受け付けたシートのサイズと、取得部５５が取得したシートのサイズとが異なる場合に、搬送部５２を制御することにより、定着位置Ｓよりも搬送方向下流にシートの搬送方向後端部が位置するようにシートを搬送する。制御部５６は、プロセッサ８０１であってもよい。サイズが異なるシートには、トナーが定着されているため、廃棄時に未定着のトナーがユーザに付着するのが抑制される。
【００３１】
切替部５７は、受付部５１が受け付けたシートのサイズと、取得部５５が取得したシートのサイズとが異なる場合に、シートの停止位置を搬送路内位置と搬送路外位置との間で切り替える。すなわち、切替部５７は、シートの搬送方向後端部が定着部５４と排出ローラ２６との間に位置する状態でシートが停止する搬送路内位置と、排出トレイ８上に配置される搬送路外位置との間でシートの停止位置を切り替える。切替部５７は、操作表示部８０５であってもよい。操作表示部８０５を介して入力された情報は、異シート処理設定情報として記憶部８０３に記憶される。
【００３２】
搬送路内位置でシートが停止する場合、プロセッサ８０１は、搬送部５２の搬送動作を停止するいわゆるジャム処理状態に画像形成装置１の設定を切り替える。このジャム処理状態において、シートの搬送方向先端部は排出ローラ２６を通過して排出トレイ８上に位置し、シートの搬送方向後端部は搬送部５２における搬送路内に位置する。つまり、シートは排出トレイ８上に一部が延出した状態となるため、排出トレイ８上に完全に排出されたシートと視覚的に区別される。さらにシートは加圧ローラ７１及び加熱ローラ７２に挟圧された状態ではないため、ジャム処理が容易化される。
【００３３】
制御部５６は、受付部５１が受け付けたシートのサイズと、取得部５５が取得したシートのサイズとが異なる場合に、搬送部５２を制御することにより、後続するシート（以下、後続シートと称する）がレジストローラ２３よりも下流に進むのを禁止してもよい。
制御部５６は、レジストローラ２３の回転動作を停止することにより、後続シートの搬送を禁止してもよい。この場合、カセットトレイ３１、或いは手差しトレイ３２上のシートがピックアップされ、さらに、シートのサイズが異なると判断された時点で、レジストローラ２３の回転動作を停止してもよい。
【００３４】
制御部５６は、カセットトレイ３１、或いは手差しトレイ３２に載置された後続シートのピックアップを禁止することにより、後続シートの搬送を停止してもよい。この場合、シートのサイズが異なるか否かを判別できるまで、後続シートの搬送を停止してもよい。シートのサイズが同じである場合には、後続シートの搬送を再開し、シートのサイズが異なる場合には、後続シートの搬送停止を継続する。
【００３５】
報知部５８は、受付部５１が受け付けたシートのサイズと、取得部５５が取得したシートのサイズとが異なることを報知する。報知部５８は、操作表示部８０５であってもよい。プロセッサ８０１は、操作表示部８０５に警告情報を表示する制御を行う。警告情報は、ジャム処理が発生したことをユーザに報知する警告画面、或いは設定されたサイズと異なるサイズのシートが排出トレイ８上に排出されたことをユーザに報知する警告画面であってもよい。報知部５８は、図示しない音声出力部であってもよい。プロセッサ８０１は、音声出力部を制御することにより警告情報を報知する。
【００３６】
次に、図３のフローチャートを参照しながら、受付部５１が受け付けたシートのサイズと、取得部５５が取得したシートのサイズとが異なる場合の画像形成装置１の動作について説明する。本フローチャートでは、後続シートをレジスタローラ２３に当接させることにより停止する。
【００３７】
Ａｃｔ１０１において、プロセッサ８０１は、受付部５１が印刷要求を示す信号を受信したか否かを判別する。印刷要求を示す信号は、選択されたシートのサイズに関する情報（以下、サイズ設定情報と称する）を含む。プロセッサ８０１は、印刷要求を示す信号に含まれるサイズ設定情報を記憶部８０３に記憶し、Ａｃｔ１０２に進む。
【００３８】
Ａｃｔ１０２において、プロセッサ８０１は、第１搬送ローラ２１及び第２搬送ローラ２２の駆動を制御することにより、カセットトレイ３１からピックアップされたシートをレジスト位置Ｕに向けて搬送する。レジスト位置Ｕに到達したシートは、レジストローラ２３に当接することにより、傾きが補正される。
【００３９】
Ａｃｔ１０３において、プロセッサ８０１は、シートの搬送開始タイミングに達したか否かを判別する。このシートの搬送開始タイミングは、中間転写ベルト６上に形成されたトナー像を二次転写位置Ｔにおいてシートに転写させるために設定される。
【００４０】
Ａｃｔ１０４において、シートの搬送開始タイミングに達すると、プロセッサ８０１はレジスタローラ２３を回転する。レジストローラ２３が回転することにより、レジスト位置Ｕに停止しているシートの搬送が再開される。
【００４１】
Ａｃｔ１０５において、プロセッサ８０１は、レジストセンサ４１がＯＮしたタイミング、つまり、レジスタローラ２３の回転動作を開始した検知開始タイミングを記憶部８０３に記憶するとともに、タイマ８０６を作動させる。
【００４２】
Ａｃｔ１０６において、プロセッサ８０１は、レジストセンサ４１がオフしたタイミング、つまり、シートの搬送方向後端部をレジストセンサ４１が検知した検知終了タイミングを記憶部８０３に記憶するとともに、タイマ８０６の作動を停止する。
【００４３】
Ａｃｔ１０７において、プロセッサ８０１は、記憶部８０３に記憶された検知開始タイミング及び検知終了タイミングからシートの搬送方向のサイズを算出し、これをサイズ測定情報として記憶部８０３に記憶する。
【００４４】
Ａｃｔ１０８において、プロセッサ８０１は、記憶部８０３に記憶されたサイズ設定情報とサイズ測定情報とを比較して、これらのサイズが異なるか否かを判別する。サイズ設定情報とサイズ測定情報とが異なる場合には、Ａｃｔ１０９に進む。
【００４５】
Ａｃｔ１０９において、プロセッサ８０１は、レジストローラ２３の回転時間及びジャム検知時間を、測定したシートのサイズに合わせて再設定する。レジストローラ２３の回転時間やジャム検知時間は、あらかじめ設定されたシートサイズに基づき決定されている。検知したシートのサイズが、あらかじめ設定されたシートのサイズと異なる場合には、シートがレジストローラ２３を通過する前にレジストローラ２３の回転を停止し、或いはシートがレジストセンサ４１を通過する前にシートを滞留させてジャムにしてしまうということが考えられる。そのため、検知したシートのサイズ、あるいは、装置が許容する最大のシートサイズに基づいてこれらの時間を再設定する。
【００４６】
Ａｃｔ１１０において、プロセッサ８０１はレジストローラ２３の回転動作を停止して、後続シートがレジストローラ２３よりも下流に搬送されるのを禁止する。後続シートをレジストローラ２３に当接させて滞留させることにより、後続シートにトナーが転写するのを禁止する。
【００４７】
Ａｃｔ１１１において、プロセッサ８０１は、排出ローラ２６を回転させる制御を行う。ただし、排出ローラ２６は、レジストローラ２３の回転動作中に駆動を開始してもよい。
【００４８】
Ａｃｔ１１２において、プロセッサ８０１は、記憶部８０３から異シート処理設定情報を読み出して、当該設定情報が排出動作設定であるか否かを判別する。
【００４９】
当該設定情報が排出動作設定である場合、Ａｃｔ１１３において、プロセッサ８０１は、排出センサ４２がオフされたか否か、つまり、排出トレイ８に排出されるシートの搬送方向後端部を検知したか否かを判別する。ここで、印刷設定のモードが両面印刷の場合、シートが点線で示す両面印刷経路Ｗにスイッチバックされるのを禁止し、排出トレイ８に向けてシートを排出する。
【００５０】
Ａｃｔ１１３においてシートの搬送方向後端部が検知された場合には、Ａｃｔ１１４に進む。Ａｃｔ１１４において、プロセッサ８０１は、後続シートがレジストローラ２３に滞留しているか否かを判別する。後続シートがレジストローラ２３に滞留している場合には、Ａｃｔ１１５に進む。
【００５１】
Ａｃｔ１１５において、プロセッサ８０１は、搬送部５２の駆動を制御することにより、画像形成装置１をジャム処理状態にする。Ａｃｔ１１６において、プロセッサ８０１は、報知部５８にジャム処理が発生したことを報知させる。
【００５２】
Ａｃｔ１１４において、後続シートがレジストローラ２３に滞留していない場合には、Ａｃｔ１１７に進む。Ａｃｔ１１７において、プロセッサ８０１は、報知部５８にサイズが設定と異なる旨を報知させ、シートの確認、交換をユーザに促す。
【００５３】
Ａｃｔ１１２において、当該設定情報がジャム処理設定である場合には、Ａｃｔ１１８に進む。Ａｃｔ１１８において、プロセッサ８０１は、定着センサ４３がオフされたか否か、つまり、排出トレイ８に排出されるシートの搬送方向後端部を検知したか否かを判別する。
【００５４】
Ａｃｔ１１８において、シートの搬送方向後端部を検知した場合には、Ａｃｔ１１９に進む。Ａｃｔ１１９において、プロセッサ８０１は、搬送部５２の駆動を制御することにより、画像形成装置１をジャム処理状態にする。Ａｃｔ１２０において、プロセッサ８０１は、報知部５８にジャム処理が発生したことを報知させる。
【００５５】
Ａｃｔ１０８において、サイズ設定情報とサイズ測定情報とが同じであると判別された場合には、Ａｃｔ１２１に進む。Ａｃｔ１２１において、プロセッサ８０１は、搬送部５２の駆動を制御することにより、シートを排出トレイ８に排出する。
【００５６】
Ａｃｔ１１０において、プロセッサ８０１はレジストローラ２３の回転動作を停止することにより、後続シートをレジストローラ２３に当接させて滞留させたが、後続シートがカセットトレイ３１からピックアップされることを禁止してもよい。この場合の実施例について、図４のフローチャートを参照しながら、詳細に説明する。
【００５７】
Ａｃｔ２０１において、プロセッサ８０１は、受付部５１が印刷要求を示す信号を受信したか否かを判別する。印刷要求を示す信号は、選択されたシートのサイズに関する情報（以下、サイズ設定情報と称する）を含む。プロセッサ８０１は、印刷要求を示す信号に含まれるサイズ設定情報を記憶部８０３に記憶し、Ａｃｔ２０２に進む。
【００５８】
Ａｃｔ２０２において、プロセッサ８０１は、カセットトレイ３１から先行シートがピックアップされると、直ちにピックアップローラ２０の動作を停止して、カセットトレイ３１から後続シートがピックアップされるのを禁止する。
【００５９】
Ａｃｔ２０３において、プロセッサ８０１は、第１搬送ローラ２１及び第２搬送ローラ２２の駆動を制御することにより、カセットトレイ３１からピックアップされた先行シートをレジスト位置Ｕに向けて搬送する。レジスト位置Ｕに到達した先行シートは、レジストローラ２３に当接することにより、傾きが補正される。
【００６０】
Ａｃｔ２０４において、プロセッサ８０１は、シートの搬送開始タイミングに達したか否かを判別する。このシートの搬送開始タイミングは、中間転写ベルト６上に形成されたトナー像を二次転写位置Ｔにおいてシートに転写させるために設定される。
【００６１】
Ａｃｔ２０５において、シートの搬送開始タイミングに達すると、プロセッサ８０１はレジスタローラ２３を回転する。レジストローラ２３が回転することにより、レジスト位置Ｕに停止しているシートの搬送が再開される。
【００６２】
Ａｃｔ２０６において、プロセッサ８０１は、レジストセンサ４１がＯＮしたタイミング、つまり、レジスタローラ２３の回転動作を開始した検知開始タイミングを記憶部８０３に記憶するとともに、タイマ８０６を作動させる。
【００６３】
Ａｃｔ２０７において、プロセッサ８０１は、レジストセンサ４１がオフしたタイミング、つまり、シートの搬送方向後端部をレジストセンサ４１が検知した検知終了タイミングを記憶部８０３に記憶するとともに、タイマ８０６の作動を停止する。
【００６４】
Ａｃｔ２０８において、プロセッサ８０１は、記憶部８０３に記憶された検知開始タイミング及び検知終了タイミングからシートの搬送方向のサイズを算出し、サイズ測定情報として記憶部８０３に記憶する。
【００６５】
Ａｃｔ２０９において、プロセッサ８０１は、記憶部８０３に記憶されたサイズ設定情報とサイズ測定情報とを比較して、これらのサイズが異なるか否かを判別する。サイズ設定情報とサイズ測定情報とが異なる場合には、Ａｃｔ２１０に進む。
【００６６】
Ａｃｔ２１０において、プロセッサ８０１は、レジストローラ２３の回転時間及びジャム検知時間を、測定したシートのサイズに合わせて再設定する。
【００６７】
Ａｃｔ２１１において、プロセッサ８０１は、排出ローラ２６を回転させる制御を行う。Ａｃｔ２１２において、プロセッサ８０１は、記憶部８０３から異シート処理設定情報を読み出して、当該設定情報が排出動作設定であるか否かを判別する。
【００６８】
当該設定情報が排出動作設定である場合、Ａｃｔ２１３において、プロセッサ８０１は、排出センサ４２がオフされたか否か、つまり、排出トレイ８に排出されるシートの搬送方向後端部を検知したか否かを判別する。ここで、印刷設定のモードが両面印刷の場合、シートをスイッチバックするのを禁止して、排出トレイ８に向けてシートを排出する。
【００６９】
Ａｃｔ２１３においてシートの搬送方向後端部が検知された場合には、Ａｃｔ２１４に進む。Ａｃｔ２１４において、プロセッサ８０１は、報知部５８にサイズが設定と異なる旨を報知させ、シートの確認、交換をユーザに促す。
【００７０】
Ａｃｔ２１２において、当該設定情報がジャム処理設定である場合には、Ａｃｔ２１５に進む。Ａｃｔ２１５において、プロセッサ８０１は、定着センサ４３がオフされたか否か、つまり、排出トレイ８に排出されるシートの搬送方向後端部を検知したか否かを判別する。
【００７１】
Ａｃｔ２１５において、シートの搬送方向後端部を検知した場合には、Ａｃｔ２１６に進む。Ａｃｔ２１６において、プロセッサ８０１は、搬送部５２の駆動を制御することにより、画像形成装置１をジャム処理状態にする。Ａｃｔ２１７において、プロセッサ８０１は、報知部５８にジャム処理が発生したことを報知させる。ジャム処理とする場合、画像形成装置１内に必ずシートが残るため、次の印刷を行う場合にはそのシートを取り除く操作が必要になる。ジャム処理として動作を停止するため、操作表示部８０５の表示は、他のジャム処理が発生したときと同様の表示であってもよい。この表示は、画像形成装置１外にシートを排出する動作設定でシートサイズを間違えた場合に表示される情報とは異なるものであるが、ジャム処理に関するメッセージやジャム処理手順は、それぞれのジャムの種類に応じた表示を行ってもよい。これにより、ユーザはジャム処理が発生した原因、ジャムを解除する方法を知る。ジャムの発生を知らせる表示は、操作表示部８０５への表示のみならず、LEDによる発光情報、音声出力により、より強くユーザに報知する手段であってもよい。この場合、画像形成装置１に何らかの異常が発生したことをよりユーザに認識させやすくなる。
【００７２】
（変形例１）
切替部５７は省略してもよい。切替部５７を省略した場合、シートの停止位置は、シートの搬送方向後端部が定着部５４と排出ローラ２６との間に位置するようにシートを停止させる搬送路内位置と、排出トレイ８上に配置される搬送路外位置とのうちいずれか一方の位置に設定する。
【００７３】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００７４】
５１  受付部５１    ５２  搬送部    ５３  転写部    ５４  定着部
５５  取得部５５    ５６  制御部    ５７  切替部    ５８  報知部
【図１】
2011209720.tif 000003
【図２】
2011209720.tif 000004
【図３】
2011209720.tif 000005
【図４】
2011209720.tif 000006